(57)【要約】【課題】円柱状で一端面に端子５１を有するコンデンサ５を電気機器のコンデンサ取付部に取り付けるコンデンサ取付構造であって、コンデンサ５の端子５１を精度良く位置決めしつつ、コンデンサ５を取り付けできるようにする。【解決手段】端子５１が嵌合する端子穴２１が形成された絶縁板２と、絶縁板２が固定される基板３とを備え、絶縁板２と基板３との間にコンデンサ５を挟持した状態で基板３をコンデンサ取付部に固定する。【選択図】図１
2018029116.tif 000002
【特許請求の範囲】
【請求項１】
円柱状で一端面に端子を有するコンデンサを電気機器のコンデンサ取付部に取り付けるコンデンサ取付構造であって、
端子が嵌合する端子穴が形成された絶縁板と、絶縁板が固定される基板とを備え、絶縁板と基板との間にコンデンサを挟持した状態で基板をコンデンサ取付部に固定することを特徴とするコンデンサ取付構造。
【請求項２】
前記コンデンサの一端部が嵌合する一端側円筒部を前記絶縁板に設けると共に、前記コンデンサの他端部が嵌合する他端側円筒部を前記基板に設けることを特徴とする請求項１記載のコンデンサ取付構造。
【発明の詳細な説明】
【技術分野】
【０００１】
本発明は、円柱状で一端面に端子を有するコンデンサを電気機器のコンデンサ取付部に取り付けるコンデンサ取付構造に関する。
【背景技術】
【０００２】
従来、コンデンサとして、端子とは反対側の端面であるコンデンサの他端面にスタッドボルトを植設したものが知られている（例えば、非特許文献１参照）。このものでは、スタッドボルトを電気機器のコンデンサ取付部に貫通させた状態で、スタッドボルトにナットを締め込むことによりコンデンサをコンデンサ取付部に取り付けている。
【０００３】
然し、スタッドボルトによる取り付けだけではコンデンサの中心軸線回りの位相が一義的に定まらず、端子を所定位置に精度良く位置決めすることが困難である。
【先行技術文献】
【非特許文献】
【０００４】
【非特許文献１】ＴＤＫ、“Ｆｉｌｍ  Ｃａｐａｃｉｔｏｒｓ”、[online]、平成２８年１月、インターネット＜ＵＲＬ：ｈｔｔｐ：／／ｗｗｗ．ｅｐｃｏｓ．ｃｏ．ｊｐ／ｉｎｆ／２０／５０／ｄｓ／Ｂ２５６２．ｐｄｆ＞
【発明の概要】
【発明が解決しようとする課題】
【０００５】
本発明は、以上の点に鑑み、コンデンサの端子を精度良く位置決めしつつ、コンデンサを取り付けできるようにしたコンデンサ取付構造を提供することをその課題としている。
【課題を解決するための手段】
【０００６】
上記課題を解決するために、本発明は、円柱状で一端面に端子を有するコンデンサを電気機器のコンデンサ取付部に取り付けるコンデンサ取付構造であって、端子が嵌合する端子穴が形成された絶縁板と、絶縁板が固定される基板とを備え、絶縁板と基板との間にコンデンサを挟持した状態で基板をコンデンサ取付部に固定することを特徴とする。
【０００７】
本発明によれば、絶縁板の端子穴に端子を嵌合させ、絶縁板を基板に固定することにより、コンデンサの中心軸線回りの位相が一義的に定まる。従って、コンデンサの端子を精度良く位置決めしつつ、コンデンサを取り付けできる。
【０００８】
また、本発明において、コンデンサの一端部が嵌合する一端側円筒部を絶縁板に設けると共に、コンデンサの他端部が嵌合する他端側円筒部を基板に設けることが望ましい。これによれば、コンデンサの両端部を両円筒部に嵌合させることにより、コンデンサが強固に固定される。
【図面の簡単な説明】
【０００９】
【図１】本発明の実施形態のコンデンサ取付構造を具備するコンデンサユニットの分解斜視図。
【図２】図１のコンデンサユニットをコンデンサ取付部に取り付ける状態を示す斜視図。
【図３】（ａ）図１のＩＩＩ−ＩＩＩ線で切断した基板に他端側円筒部を固定した状態での断面図、（ｂ）図３（ａ）の一点鎖線で囲んだＡ部分の拡大図。
【発明を実施するための形態】
【００１０】
図１及び図２を参照して、１は、３個のコンデンサ５を並べた状態で保持するコンデンサユニットを示している。このコンデンサユニット１は、インバータのコンデンサ取付部６に取り付けられる。尚、コンデンサ５は、円柱状で一端面に端子５１を有し、他端面にスタッドボルト５２が植設されている。
【００１１】
コンデンサユニット１は、各コンデンサ５の端子５１が嵌合する端子穴２１が形成された樹脂製の絶縁板２と、絶縁板２が固定される金属製の基板３とを備えている。図３も参照して、絶縁板２には、各コンデンサ５の一端部が嵌合する一端側円筒部２２が３個設けられている。一端側円筒部２２には、周方向に間隔を存して切欠き２２ａが複数形成されている。これにより、一端側円筒部２２にバネ性を持たせ、コンデンサ５を嵌めやすくしている。
【００１２】
基板３には、各コンデンサ５の他端部が嵌合する樹脂製の他端側円筒部３１が３個設けられている。他端側円筒部３１は、有底短筒状であって、底部にスタッドボルト５２が挿通される逃げ穴３１ａが形成されている。また、他端側円筒部３１の外周面には、凹溝３１ｂが形成され、更に、基板３には他端側円筒部３１に対応する丸穴３２が３個形成されている。そして、図３（ｂ）に示す如く、各丸穴３２の周縁部を各他端側円筒部３１の凹溝３１ｂに係合させることにより、基板３に各他端側円筒部３１が嵌合固定されるようにしている。尚、他端側円筒部３１を基板３に固定した状態で、他端側円筒部３１の底部が基板３の外面から突出するため、コンデンサ取付部６には、他端側円筒部３１の底部が挿入される逃げ穴６１が３個形成されている。
【００１３】
また、絶縁板２の周縁部に、外方に張出す複数の耳片部２３を突設すると共に、基板３の周縁部に、絶縁板２側にのびて夫々先端部が耳片部２３に対向する複数の舌片部３３を曲成している。そして、各耳片部２３に形成した固定穴２３ａを通して各固定ねじ４を各舌片部３３の先端部に形成したねじ穴３３ａに螺合させることにより、絶縁板２を基板３に固定する。これにより、絶縁板２と基板３との間に３個のコンデンサ５が挟持され、コンデンサユニット１が組立てられる。次に、基板３に形成された各取付穴３４を通して各取付ねじ１１をコンデンサ取付部６に形成された各ねじ穴６２に螺合させて、コンデンサユニット１をコンデンサ取付部６に固定する。
【００１４】
本実施形態によれば、絶縁板２の端子穴２１に端子５１を嵌合させ、絶縁板２を基板３に固定することにより、コンデンサ５の中心軸線回りの位相が一義的に定まる。従って、コンデンサ５の端子５１を精度良く位置決めしつつ、コンデンサ５を取り付けできる。更に、コンデンサ５の両端部を一端側と他端側の両円筒部２２，３１に嵌合させることにより、コンデンサ５が強固に固定される。
【００１５】
以上、本発明の実施形態について図面を参照して説明したが、本発明はこれに限定されない。例えば、他端側円筒部３１を基板３と一体としてもよい。但し、他端側円筒部３１を金属製にしたのでは、コンデンサ５と基板３との間で絶縁性を十分に確保できず、また、コンデンサ５が傷つきやすいため、本実施形態の如く他端側円筒部３１を基板３と別体の樹脂製のものとすることが望ましい。また、上記実施形態は、インバータのコンデンサ取付部６にコンデンサ５を取付けているが、インバータ以外の他の電気機器のコンデンサ取付部にコンデンサを取り付ける場合にも同様に本発明を適用でき、更に、スタッドボルトが植設されていないコンデンサの取付構造としても同様に本発明を適用できる。
【符号の説明】
【００１６】
２…絶縁板、２１…端子穴、２２一端側円筒部、３…基板、３１…他端側円筒部、５…コンデンサ、５１…端子、６…コンデンサ取付部。
【図１】
2018029116.tif 000003
【図２】
2018029116.tif 000004
【図３】
2018029116.tif 000005